【手続補正書】
【提出日】平成28年8月24日(2016.8.24)
【手続補正１】
【補正対象書類名】特許請求の範囲
【補正対象項目名】全文
【補正方法】変更
【補正の内容】
【特許請求の範囲】
【請求項１】
被覆導線と端子とが接続されるワイヤハーネスであって、
前記端子は、被覆線が圧着される被覆線圧着部と前記被覆線から露出する導線が圧着される導線圧着部とからなる圧着部と、端子本体とを有し、
前記圧着部は、前記被覆線圧着部と前記導線圧着部が長手方向に連なるように一体で形成されており、
前記導線圧着部で前記被覆線から露出する前記導線の全長が覆われて圧着され、前記被覆線圧着部で前記被覆線の端部が覆われて圧着されており、前記導線圧着部の下面側には、内周面方向に突き出すように長手方向に沿って凸条が形成されていることを特徴とするワイヤハーネス。
【請求項２】
断面において、前記導線圧着部の下方に設けられた前記凸条に対向する、前記導線圧着部の上方の部位が、外方に膨らんだ凸形状であることを特徴とする請求項１記載のワイヤハーネス。
【請求項３】
前記凸条は、前記導線圧着部に対応する領域のみに形成されていることを特徴とする請求項１または請求項２に記載のワイヤハーネス。
【請求項４】
前記凸条の側面がテーパ形状であることを特徴とする請求項１から請求項３のいずれかに記載のワイヤハーネス。
【請求項５】
前記凸条は、前記導線圧着部の圧着時における高圧着部近傍に形成されることを特徴とする請求項１から請求項４のいずれかに記載のワイヤハーネス。
【請求項６】
前記導線圧着部の側面側および上面側の内周面に、前記凸条と離間した位置に、内面凹状の係止部が設けられることを特徴とする請求項１から請求項５のいずれかに記載のワイヤハーネス。
【請求項７】
前記導線圧着部の内周面に、内面凹状の係止部が設けられ、前記圧着部の長手方向における前記凸条が形成される長さは、前記係止部が形成される範囲の長さ以下であることを特徴とする請求項１から請求項６のいずれかに記載のワイヤハーネス。
【請求項８】
前記係止部は、前記圧着部の周方向に線状に設けられることを特徴とする請求項６または請求項７記載のワイヤハーネス。
【請求項９】
前記係止部は、前記圧着部の周方向に複数の凹部を所定の間隔で線状に連続配置して設けられることを特徴とする請求項６または請求項７記載のワイヤハーネス。
【請求項１０】
前記導線圧着部の外周面に、前記凸条に対応する凹条が形成され、
前記凹条は、圧着高さ測定のための前記導線圧着部の下面側における基準位置であることを特徴とする請求項１から請求項８のいずれかに記載のワイヤハーネス。
【請求項１１】
前記導線がアルミニウム製であることを特徴とする請求項１から請求項１０のいずれかに記載のワイヤハーネス。
【請求項１２】
被覆導線と端子とが接続されるワイヤハーネスの製造方法であって、
前記端子は、被覆線が圧着する被覆線圧着部と前記被覆線から露出する導線が圧着する導線圧着部とからなる圧着部と、端子本体とを有し、
前記圧着部は、前記被覆線圧着部と前記導線圧着部が長手方向に連なるように一体で形成されており、
前記導線圧着部で前記被覆線から露出する前記導線の全長を覆うように圧着するとともに、前記被覆線圧着部で前記被覆線の端部を覆うように圧着し、
圧着時に、前記導線圧着部の下面側に、内周面方向に突き出すように長手方向に沿って凸条を形成することを特徴とするワイヤハーネスの製造方法。
【請求項１３】
被覆導線と端子とが接続されるワイヤハーネスの製造方法であって、
前記端子は、被覆線が圧着する被覆線圧着部と前記被覆線から露出する導線が圧着する導線圧着部とからなる圧着部と、端子本体とを有し、
圧着前において、前記導線圧着部の下面側には、内周面方向に突き出すように長手方向に沿って凸条が形成されており、
前記圧着部は、前記被覆線圧着部と前記導線圧着部が長手方向に連なるように一体で形成されており、
前記凸条に金型の凸部を嵌めて、前記導線圧着部で前記被覆線から露出する前記導線の全長を覆うように圧着するとともに、前記被覆線圧着部で前記被覆線の端部を覆うように圧着することを特徴とするワイヤハーネスの製造方法。

【手続補正２】
【補正対象書類名】明細書
【補正対象項目名】発明の名称
【補正方法】変更
【補正の内容】
【発明の名称】ワイヤハーネスおよびワイヤハーネスの製造方法
【手続補正３】
【補正対象書類名】明細書
【補正対象項目名】０００８
【補正方法】変更
【補正の内容】
【０００８】
前述した目的を達成するために、第１の発明は、被覆導線と端子とが接続されるワイヤハーネスであって、前記端子は、被覆線が圧着される被覆線圧着部と前記被覆線から露出する導線が圧着される導線圧着部とからなる圧着部と、端子本体とを有し、前記圧着部は、前記被覆線圧着部と前記導線圧着部が長手方向に連なるように一体で形成されており、前記導線圧着部で前記被覆線から露出する前記導線の全長が覆われて圧着され、前記被覆線圧着部で前記被覆線の端部が覆われて圧着されており、前記導線圧着部の下面側には、内周面方向に突き出すように長手方向に沿って凸条が形成されていることを特徴とするワイヤハーネスである。
断面において、前記導線圧着部の下方に設けられた前記凸条に対向する、前記導線圧着部の上方の部位が、外方に膨らんだ凸形状であってもよい。
前記凸条は、前記導線圧着部に対応する領域に形成されてもよい。
前記凸条の側面がテーパ形状であってもよい。
前記凸条は、前記導線圧着部の圧着時における高圧着部近傍に形成されてもよい。
前記導線圧着部の側面側および上面側の内周面に、前記凸条と離間した位置に、内面凹状の係止部が設けられてもよい。
前記導線圧着部の側面側および上面側の内周面に、前記凸条と離間した位置に、内面凹状の係止部が設けられ、前記圧着部の長手方向における前記凸条が形成される長さは、前記係止部が形成される範囲の長さ以下であってもよい。
前記係止部は、前記圧着部の周方向に線状に設けられてもよい。
前記係止部は、前記圧着部の周方向に複数の凹部を所定の間隔で線状に連続配置して設けられてもよい。
前記導線圧着部の外周面に、前記凸条に対応する凹条が形成され、前記凹条は、圧着高さ測定のための前記導線圧着部の下面側における基準位置であってもよい。
前記導線がアルミニウム製であってもよい。
【手続補正４】
【補正対象書類名】明細書
【補正対象項目名】００１１
【補正方法】変更
【補正の内容】
【００１１】
第２の発明は、被覆導線と端子とが接続されるワイヤハーネスの製造方法であって、前記端子は、被覆線が圧着する被覆線圧着部と前記被覆線から露出する導線が圧着する導線圧着部とからなる圧着部と、端子本体とを有し、前記圧着部は、前記被覆線圧着部と前記導線圧着部が長手方向に連なるように一体で形成されており、前記導線圧着部で前記被覆線から露出する前記導線の全長を覆うように圧着するとともに、前記被覆線圧着部で前記被覆線の端部を覆うように圧着し、圧着時に、前記導線圧着部の下面側に、内周面方向に突き出すように長手方向に沿って凸条を形成することを特徴とするワイヤハーネスの製造方法である。
【手続補正５】
【補正対象書類名】明細書
【補正対象項目名】００１２
【補正方法】変更
【補正の内容】
【００１２】
また、被覆導線と端子とが接続されるワイヤハーネスの製造方法であって、前記端子は、被覆線が圧着する被覆線圧着部と前記被覆線から露出する導線が圧着する導線圧着部とからなる圧着部と、端子本体とを有し、圧着前において、前記導線圧着部の下面側には、内周面方向に突き出すように長手方向に沿って凸条が形成されており、前記圧着部は、前記被覆線圧着部と前記導線圧着部が長手方向に連なるように一体で形成されており、前記凸条に金型の凸部を嵌めて、前記導線圧着部で前記被覆線から露出する前記導線の全長を覆うように圧着するとともに、前記被覆線圧着部で前記被覆線の端部を覆うように圧着することを特徴とするワイヤハーネスの製造方法である。
【手続補正６】
【補正対象書類名】明細書
【補正対象項目名】００１３
【補正方法】変更
【補正の内容】
【００１３】
このようにして得られるワイヤハーネスは、下面側に、内周面方向に突き出す長手方向の凸条を有するので、断面中空の導線圧着部を例えば下面側が凸となるようなＵ字型形状に変形させて導線を圧着させる際に、導線圧着部の断面の中心から外側への導線の流動性が向上する。また、端子が、内周面方向に凸条を有すると同時に外周面に凹条を有するものであれば、圧着後に端子の圧着高さを測定する際に、端子の下面側における基準位置が明確になり、寸法測定が容易となる。